(57)【要約】【課題】弛み止め機能を有し、ねじ込みを何度も繰り返しても雌ネジとしっかりと螺合する調整ネジ及びこれを用いた圧力スイッチを提供する。【解決手段】少なくともネジ部が樹脂でできており、当該ネジ部の周方向の一部であって長手方向所定の距離に亘ってネジ谷部１５の深さを局部的に浅くする複数の突起部１６ａ，１６ｂ，１６ｃ…１６ｘ…１６ｎを有し、当該複数の突起部１６ａ，１６ｂ，１６ｃ…１６ｘ…１６ｎがネジ弛み止め部１６を形成していることで、弛み止めの機能を有し、ねじ込みを何度も繰り返しても雌ネジとしっかりと螺合する調整ネジ１及びこれを用いた圧力スイッチ１００を提供することができる。【選択図】図１
2009140721.tif 000002
【特許請求の範囲】
【請求項１】
少なくともネジ部が樹脂でできており、当該ネジ部の周方向の一部であって長手方向所定の距離に亘ってネジ谷部の深さを局部的に浅くする複数の突起部を有し、当該複数の突起部がネジ弛み止め部を形成していることを特徴とする調整ネジ。
【請求項２】
中空の筐体と、
前記筐体の内部を仕切って二つの圧力室を形成しこれらの圧力室の差圧に応じた作動力を発生する外力伝達機構と、
前記二つの圧力室のそれぞれに対応させて筐体に設けられた気体導入孔と、
前記何れかの圧力室に収容され前記外力伝達機構からの作動力を受けて動作するスナップアクション機構と、
前記スナップアクション機構により開閉される電気接点と、
前記電気接点の開閉を筐体の外部に伝達する導電部材を備えた圧力スイッチにおいて、
前記スナップアクション機構は、各先端部が対向配置され、かつ基端部が弾性変形部を介して固定される第１及び第２の可動部と、両端部がそれぞれ前記対向する第１及び第２の可動部の先端部と係合した状態で前記可動部間に湾曲をなして介挿され、前記各可動部にばね力を付与する板ばねとを備え、前記第１の可動部の初期状態において前記第２の可動部を第１の位置に保持し、前記第１の可動部が前記外力伝達機構を介して変位して動作点を超えたときに前記第２の可動部を他側に急速に反転させて前記第２の位置で保持する機構であり、
前記第１及び第２の可動部の少なくとも何れか一方の弾性変形部の撓み量を、請求項１に記載の調整ネジを用いて調整可能にしたことを特徴とする圧力スイッチ。
【請求項３】
前記弾性変形部の撓み量に代えて、前記第１の位置及び前記第２の位置の少なくとも何れか一方の保持位置を、請求項１に記載の調整ネジを用いて調整可能にしたことを特徴とする、請求項２に記載の圧力スイッチ。
【発明の詳細な説明】
【技術分野】
【０００１】
本発明は、弛め止め機能を有した調整ネジ及びこれを用いた圧力スイッチに関する。
【背景技術】
【０００２】
所謂いもネジと呼ばれる止めネジは従来から知られている。そして、スナップアクション機構を有した圧力スイッチであって止めネジを調整ネジとして用いることでスイッチのオン・オフの動作点の微調整を行うことができる圧力スイッチも公知である（例えば、特許文献１参照）。
【０００３】
この圧力スイッチは、特許文献１に記載されたように、中空の筐体と、筐体の内部を仕切って二つの圧力室を形成しこれらの圧力室の差圧に応じた作動力を発生する外力伝達機構と、二つの圧力室のそれぞれに対応させて筐体に設けられた気体導入孔と、何れかの圧力室に収容され外力伝達機構からの作動力を受けて動作するスナップアクション機構と、スナップアクション機構により開閉される電気接点と、電気接点の開閉を筐体の外部に伝達する導電部材を備えている。
【０００４】
そして、スナップアクション機構は、先端部の両側に可動部側切欠部がそれぞれ形成された状態でこの先端部が離隔して対向配置され、基端部が弾性変形部を介して固定される第１及び第２の可動部と、この対向する可動部側切欠部と係合する板ばね側切欠部が両端部の両側部に形成され、可動部間に湾曲をなして介挿され、板ばね側切欠部を介して各可動部の可動部側切欠部に係合されて各可動部にばね力を付与する板ばねを備えている。そして、第１の可動部の初期状態において第２の可動部を第１の位置に保持し、第１の可動部が変位して動作点を超えたときに第２の可動部を他側に急速に反転させる構造を有している。
【特許文献１】ＷＯ２００６／０９０７９７号公報（６−１０頁、図１）。
【発明の開示】
【発明が解決しようとする課題】
【０００５】
このような構成を有するスナップアクション機構は、圧力スイッチのオン・オフの動作点を最適なものに調整するために、調整ネジを介して第１及び第２の可動部に連設した弾性変形部の撓み量を微調整するようになっている。
【０００６】
しかしながら、このような調整ネジは圧力スイッチを最適な状態でオン・オフするように微調整をある程度時間をかけて行うことが必要とされる。そのため、従来の構造の調整ネジでは、この調整工程において、調整ネジとこれがねじ込まれる本体との間の締付抵抗が低下してバックラッシが生じ、調整ネジが弛み易くなることが多い。
【０００７】
このような場合、調整ネジをねじ込む時にロックナットを調整ネジの周囲に塗布した状態でねじ込まなければならず、その分の工数が嵩むと共にコストアップを招いていた。
【０００８】
本発明の目的は、弛み止め機能を有する調整ネジ及びこれを用いた圧力スイッチを提供することにある。
【課題を解決するための手段】
【０００９】
上述の課題を解決するために、本発明の請求項１に記載の調整ネジは、
少なくともネジ部が樹脂でできており、当該ネジ部の周方向の一部であって長手方向所定の距離に亘ってネジ谷部の深さを局部的に浅くする複数の突起部を有し、当該複数の突起部がネジ弛み止め部を形成していることを特徴としている。
【００１０】
調整ネジの谷部の周方向所定位置にこのようなネジ弛み止め部を形成する複数の突起部を設けることで、調整ネジのねじ込み時に各突起部が相手側の雌ネジにくい込むことでねじ込み時に調整ネジにバックラッシによる緩みが生じることがなくなり、十分な締付力で調整ネジをねじ込んでいくことができる。
【００１１】
また、本発明の請求項２に記載の圧力スイッチは、
中空の筐体と、
前記筐体の内部を仕切って二つの圧力室を形成しこれらの圧力室の差圧に応じた作動力を発生する外力伝達機構と、
前記二つの圧力室のそれぞれに対応させて筐体に設けられた気体導入孔と、
前記何れかの圧力室に収容され前記外力伝達機構からの作動力を受けて動作するスナップアクション機構と、
前記スナップアクション機構により開閉される電気接点と、
前記電気接点の開閉を筐体の外部に伝達する導電部材を備えた圧力スイッチにおいて、
前記スナップアクション機構は、各先端部が対向配置され、かつ基端部が弾性変形部を介して固定される第１及び第２の可動部と、両端部がそれぞれ前記対向する第１及び第２の可動部の先端部と係合した状態で前記可動部間に湾曲をなして介挿され、前記各可動部にばね力を付与する板ばねとを備え、前記第１の可動部の初期状態において前記第２の可動部を第１の位置に保持し、前記第１の可動部が前記外力伝達機構を介して変位して動作点を超えたときに前記第２の可動部を他側に急速に反転させて前記第２の位置で保持するようになった圧力スイッチであって、
前記第１及び第２の可動部の少なくとも何れか一方の弾性変形部の撓み量を、請求項１に記載の調整ネジを用いて調整可能にしたことを特徴としている。
【００１２】
また、本発明の請求項３に記載の圧力スイッチは、請求項２に記載の圧力スイッチにおいて、
前記弾性変形部の撓み量に代えて、前記第１の位置及び前記第２の位置の少なくとも何れか一方の保持位置を、請求項１に記載の調整ネジを用いて調整可能にしたことを特徴としている。
【００１３】
圧力スイッチにこのような調整ネジを用いることで、調整ネジを圧力スイッチの雌ネジに締め込んだ時に弛み難い。一旦ねじ込んだ調整ネジがバックラッシにより弛んで圧力スイッチのオン・オフの動作点が変わるのを防止することができる。
【発明の効果】
【００１４】
本発明によると、弛み止め機能を有する調整ネジ及びこれを用いた圧力スイッチを提供することができる。
【発明を実施するための最良の形態】
【００１５】
以下、本発明の一実施形態に係る調整ネジ及びこれを用いた圧力スイッチを図面に基づいて説明する。図１乃至図４に示す本発明の一実施形態に係る調整ネジ１は、強度と成形性に優れた樹脂でできており、外形が従来の調整ネジと同等の外形を有している。即ち、調整ネジの長手方向略全体に亘って全周に雄ネジ１１が形成されると共に、一方の端部に被調整対象物と当接する突起部１２が備わり、他方の端部に調整ネジ締め込み又は弛め用の六角穴１３が形成されている。この六角穴１３の代わりに、プラス・ドライバー等のねじ回し工具の形状に合わせた穴が形成されることもある。しかしながら、この実施形態に係る調整ネジ１は、以下の点で従来の調整ネジと構成が異なっている。
【００１６】
具体的には、本実施形態に係る調整ネジ１は、その直径方向に対向する２箇所に調整ネジ１の山部１４よりも高さが低く、谷部１５の深さを僅かに浅くする複数の突起部１６ａ，１６ｂ，１６ｃ…１６ｘ…１６ｎがネジ長手方向全体に亘って直線状に並んでネジ弛み止め部１６を有している。そして、ネジ弛み止め部１６を構成する各突起部１６ａ，１６ｂ，１６ｃ…１６ｘ…１６ｎは断面三角形状をなし、本実施形態では、図４に示すようにその頂点が尖って形成されている。
【００１７】
この調整ネジ１は樹脂でできているため、製造時は２つ割りの金型を合わせた状態で射出成型により形成される。そして、本実施形態の場合、２つ割りの金型のパーティングラインを利用して上述したネジ弛み止め部１６を形成するようになっている。具体的には、この複数の突起部１６ａ，１６ｂ，１６ｃ…１６ｘ…１６ｎからなるネジ弛み止め部１６は、調整ネジ１を成形する際の金型のパーティングラインに僅かな深さの切込みを形成することで、射出成型時にこの切込みに樹脂が入り込み、この切込みに対応するネジ弛み止め部１６として調整ネジ１の直径方向に対向する２箇所に形成されるようになっている。
【００１８】
本実施形態の場合、ネジ弛み止め部１６を構成する各突起部１６ａ，１６ｂ，１６ｃ…１６ｘ…１６ｎは、上述したように断面三角形状をなし、その頂点が尖っているが、これは金型のパーティングラインに沿って先端側が鋭利に尖った切削工具を用いて調整ネジ１の谷部１５に対応するパーティングラインのネジ山部の一部を切除することによって容易に形成することができる。なお、図４において二つの突起部１６は、ネジの外周の、互いに直径方向に対向する位置に形成されているが、これに限定されるものではない。中心角が互いに１２０度をなす位置に三つの突起部１６を形成しても良い。また、中心角が均等になる位置に各突起部１６を配置する必要もなく、中心角が不均等になる位置に各突起部１６を配置しても良い。
【００１９】
なお、ネジ弛み止め部１６を構成する各突起部の断面形状は、上述したように断面三角形状をなすことに限定されず、各突起部の頂き部が丸みを帯びた山型の断面形状を有していても良く、各突起部の断面形状が台形状若しくは矩形状を有していても良い。即ち、金型のパーティングラインに沿って金型のネジ山部を切削する切削工具の断面形状を適宜変更することによってこれらの異なる断面形状のネジ弛み止め部を選択的に形成することができる。
【００２０】
このような調整ネジ１を用いて、後述する圧力スイッチ１００のバネ圧調節を行うことで、調整ネジ１をねじ込んだ際にねじ込まれる雌ネジに対して連続した突起部１６ａ，１６ｂ，１６ｃ…１６ｘ…１６ｎからなるネジ弛み止め部１６がねじ込みの際に適度な締付け抵抗力を生じさせる。その結果、ねじ込みに適度な力を必要とし、ねじ込み量の微調整を可能にすると共に、従来の調整ネジに生じるようなバックラッシによる弛みを防止する。
【００２１】
また、一旦ねじ込んだ調整ネジ１を再び弛めたり、更に締めこんだりする際にも、この間ずっと調整ネジ１のネジ弛み止め部１６が雌ネジにくい込んでいるので、調整ネジ１が弛み難い。即ち、従来の金属製や樹脂製の調整ネジのように、樹脂でできた本体部分の雌ネジに調整ネジを螺合させたときに生じるバックラッシによるガタツキが本実施形態に係る調整ネジ１では生じることがない。
【００２２】
続いて、本実施形態に係る調整ネジ１が用いられる圧力スイッチ１００について図面に基づいて説明する。この圧力スイッチ１００は、図５に示すように、樹脂性のハウジング１１０と、ハウジング１１０に嵌着した樹脂性のカバー１２０と、ハウジング１１０とカバー１２０とで形成される空間を高圧側空間ＨＰと低圧側空間ＬＰに画成する樹脂性のダイアフラム１３０及びセンタープレート１４０を備えている。
【００２３】
そして、ハウジング１１０には、低圧側配管接続用ポート１１５が備わると共に、カバー１２０には高圧側配管接続用ポート１２５が備わっている。また、センタープレート１４０には、その中央部においてプランジャ１４１が低圧側空間側に向かって突出している。
【００２４】
また、低圧側空間内には、後に詳細に説明するスナップアクション機構及びスイッチ部１９０が備わっており、プランジャ１４１の押圧力によってスナップアクション機構を介してスイッチ部１９０のオン・オフを行うようになっている。
【００２５】
そして、低圧側配管接続用ポート１１５と高圧側配管接続用ポート１２５はそれぞれ、例えば給湯器の燃焼用空気供給部に設置され、給気ファンの作動に伴う圧力変化に応じてプランジャ１４１を一方向に移動させてスイッチオン状態にし、これによって給気ファンの正常な作動を確認すると共に、給気ファンの停止に伴う圧力変化に応じてプランジャを他方向に移動させてスイッチオフ状態にし、給気ファンの停止状態を確認するようになっている。
【００２６】
続いて、係る圧力スイッチ１００のスナップアクション機能及びスイッチ部１９０の動作について図面に基づいてより詳細に説明する。
【００２７】
スナップアクション機能は、ハウジング１１０の内側底面から突出した図５に示す支柱１１１ａ，１１１ｂ，１１１ｃに一部が固定された図６に示すベース板１５０と、ベース板１５０の一部をなし先端が互いに対向配置された第１の可動部１６０及び第２の可動部１７０と、第１及び第２の可動部１６０，１７０に両端がそれぞれ係合し、全体側面視でＣ字状に弾性変形した図８（ａ）に示すＣバネ１８０を有している。
【００２８】
ベース板１５０は、図６（ａ）に示すように平面視長方形状のフレーム部１５１を有すると共にフレーム部１５１の一方の短辺１５２からフレーム部長手方向内側に第１の可動部１６０が突出し、フレーム部１５１の他方の短辺１５３からフレーム部長手方向内側に第２の可動部１７０が突出している。
【００２９】
そして、フレーム部１５１の長辺１５４の縁部１５４ｆは折り曲げられて剛体として機能するようになっている。また、フレーム部１５１は、図６（ｂ）に示す一方の短辺１５２の固定部１５３ｂと各短辺近傍の長辺１５４の固定部１５４ａ，ｃでハウジング１１０の支柱１１１ａ，１１１ｂ，１１１ｃにそれぞれ固定されている。
【００３０】
第１の可動部１６０はバネ力調整用の開口部１６１を有すると共に、フレーム部１５１の一方の短辺１５２に一体に連結した弾性変形部１６２と、弾性変形部１６２に一体に連結し、側方に折り曲げ部１６３ａを介して剛体としての機能を果すＣバネ係止部１６３を有している。また、第１の可動部１６０の先端近傍にはプランジャ受け用の凹み部１６４（図６（ｂ）参照）が形成されている。
【００３１】
なお、Ｃバネ係止部１６３の先端にはＣバネ係止用切欠き１６３ｂ（図６（ａ）参照）が形成され、図８（ｂ）に示すようにＣバネ１８０の一方の端部１８３の切欠き１８３ａとこのＣバネ係止用切欠部１６３ｂを介して係合するようになっている。
【００３２】
フレーム部１５１の一方の短辺１５２には、図６（ａ）に示すように、上側に荷重調整用当て板１５５が備わると共に、下側には荷重調整板１５６が備わっている。これにより、フレーム部１５１の一方の短辺１５２は剛体として機能するようになっている。荷重調整板１５６は、平面視で略Ｔ字状をなし、フレーム部１５１の内側への突出部１５７が図７に示す平面視でちょうど第１の可動部１６０の開口部内側に位置するようにフレーム部１５１の一方の短辺１５２に取り付けられている。そして、荷重調整板１５６の突出部１５７の先端近傍は調整ネジ１の先端が当接する調整ネジ当接部１５８（図７参照）となっている。
【００３３】
なお、荷重調整板１５６の調整ネジ当接部１５８は、図７に示すようにフレーム部１５１の固定部１５４ａより内側に距離Ａだけ変位している。そして、この距離Ａの変位量により調整ネジ当接部１５８を調整ネジ１で押し上げることで荷重調整板１５６の突出部１５７が撓むと共に、第１の可動部１６０の弾性変形部１６２が撓むようになっている。
【００３４】
第２の可動部１７０は、図６に示すように内側に弾性調整用開口部１７１が形成されると共に、第１の可動部１６０よりも全体として高剛性の弾性変形部として形成されている。また、第２の可動部１７０の先端には、Ｃバネ係合用切欠き１７２（図６（ｂ）参照）が形成され、図８（ｂ）に示すようにＣバネ１８０の他方の端部１８４と係合するようになっている。
【００３５】
Ｃバネ１８０は自由状態で図８（ａ）に示すように長方形状を有しており、長手方向に弾性調整用の２つの開口部１８１，１８２が隣接して形成されると共に、長手方向両端部近傍の両側部に上述した第１及び第２の可動部１６０，１７０の先端と係合する切欠き１８３ａ，１８４ａを有している。
【００３６】
スイッチ部１９０は、図９に示すように図中上側に設けられたＮＯ（Normally Open、常開）端子１９１からなる電気接点と、下側に設けられたＮＣ（Normally Close、常閉）端子１９２を備えると共に、ＣＯＭ（Common、共通）端子（図示せず）からなる電気接点を備えている。なお、ＮＯ端子１９１とＮＣ端子１９２は固定部材１９３，１９４によってハウジング１１０にそれぞれ固定されている。そして、ＮＣ端子１９２の固定位置は、ＮＯ端子１９１の間隔に関して調整ネジ１によって調整可能となっている。ＣＯＭ端子は、ここでは詳細には示さない導電部材を介して、圧力スイッチ１００の外部に電気接点の開閉状態を電気的に伝えるようになっている。そして、スイッチ部１９０は後述するスナップアクション機能によってダイアフラム１３０に作用する圧力差に応じて第２の可動部１７０がＮＯ端子１９１と接触するか又はＮＣ端子１９２とするかの何れかの状態を維持するようになっている。
【００３７】
続いて、本実施形態に係る調整ネジ１との関係を含めた圧力スイッチ１００の動作について説明する。図９は、調整ネジ１によって荷重調整板１５６を撓ませていない状態の圧力スイッチ１００の動作説明図である。そして、図９（ａ）は、高圧側配管接続用ポートの圧力が高圧となっていない状態で、センタープレート１４０（図９では図示せず）のプランジャ１４１が上方に位置し、図９（ｂ）は、高圧側配管接続用ポート１２５の圧力が高圧となった状態で、センタープレート１４０（図９では図示せず）のプランジャ１４１が下方に位置した状態を示している。
【００３８】
図９（ａ）においては、Ｃバネ１８０の弾性反発力が第１及び第２の可動部１６０，１７０に対してそれぞれ図中矢印方向に作用し、第１の可動部１６０の先端が共通水平面（フレーム部１５１の両長辺１５４を含む面）よりも上側に位置する一方、第２の可動部１７０の先端は共通水平面よりも下側に位置するようにＣバネ１８０が各可動部１６０，１７０に弾性反発力を及ぼしている。これによって、可動部１７０の接点がＮＣ端子１９２に接触しこの状態を維持している。そして、高圧側配管接続用ポート１２５の圧力が高圧になると、ダイアフラム１３０の変形に伴うセンタープレート１４０の下方への変位によりプランジャ１４１が図中下方に移動する。
【００３９】
これによって、プランジャ１４１の先端が第１の可動部１６０の先端部を下方に押圧し、図９（ｂ）に示すように、Ｃバネ１８０が図中反時計方向に急激に角変位してＣバネ１８０の姿勢が変わる。これに応じて、Ｃバネ１８０の他方の端部が第２の可動部１７０の先端部を上側に押し上げる共に、図中矢印で示すＣバネ１８０の弾性変形力によって第１の可動部１６０の先端部を共通水平面（フレーム部１５１の両長辺１５４を含む面）よりも図中下方へ位置させ、第２の可動部１７０の先端部を共通水平面よりも図中上方に位置した状態を保つように変化する。これによって、可動部１７０の接点がＮＯ端子１９１に接触しこの状態を維持する。
【００４０】
一方、高圧側配管接続用ポート１２５の圧力が高圧になっている状態から低圧になった状態に移行すると、上述したスナップアクションの動作原理と逆の動作原理に基づいて図９（ｂ）の状態から図９（ａ）の状態に戻ってその状態を維持する。
【００４１】
図１０は、図９と基本的に共通する圧力スイッチ１００の動作説明図であり、図１０（ａ）は、高圧側配管接続用ポート１２５の圧力が高圧となっていない場合の圧力スイッチ内部の状態を示し、図１０（ｂ）は高圧側配管接続用ポート１２５の圧力が高圧となっている場合の圧力スイッチ内部の状態を示している。
【００４２】
ここで、図１０は図９と異なり、調整ネジ１をハウジング内に図９の状態より更にネジ込み、調整ネジ１の先端の突起部１２に当接した荷重調整板１５６の突出部１５７を図中上側に押し上げ、これに伴って第１の可動部先端をプランジャ１４１により強く押し付けている。これは、図７に示す距離Ａの変位量により荷重調整板１５６の突出部１５７を調整ネジ１で押し上げることで荷重調整板１５６が撓むと共に、第１の可動部１６０の弾性変形部１６２が更に撓むようになったことに基づいている。なお、第１の可動部１６０の先端部はプランジャ１４１でその位置が規制されているので、第１の可動部先端をプランジャ１４１により強く押付けることで第１の可動部１６０の撓み量がより大きくなる代わりに、この撓み量は図９（ａ）のまま第１の可動部１６０の初期状態における弾性力が大きくなる。
【００４３】
これによって、プランジャ１４１により大きな押圧力を作用させて第１の可動部１６０の先端部を図中下方に押し下げないとスナップアクション機能が作用せず、図１０（ｂ）の状態に達しないようになる。これによって、圧力スイッチオンの動作点を高圧側配管接続ポート側の圧力が図９（ｂ）に示す状態に比べてより高くならないと動作しないようにシフト（調整）できる。
【００４４】
なお、図９に対する図１０の調整ネジ１の移動量は、説明の理解の容易化のために誇張して描いているが、実際の調整では、調整ネジ１の僅かなねじ込み動作又はその逆の動作によって第１の可動部１６０の弾性力を変化させて圧力スイッチオンの動作点を変更することができる。
【００４５】
ここで、本実施形態のように調整ネジがねじ込まれるハウジングが樹脂でできている場合、従来の調整ネジを用いたのでは、調整ネジを最適な位置でねじ込むことで第１の可動部に最適な弾性力が生じるように調整しても、調整ネジのバックラッシによる弛みによって、第１の可動部に作用する弾性力が変化してしまう。
【００４６】
具体的には、図１０（ａ）に示す位置まで調整ネジをねじ込んだにも関わらず、調整ネジが弛んで図９（ａ）に示す位置に戻ってしまうことがある。その結果、Ｃバネ１８０の弾性反発力と第１の可動部１６０の弾性力とのバランスが最適な状態からずれて、所望のプランジャの押圧力、即ち高圧側配管接続ポート１２５と低圧側配管接続ポート１１５から導入する空気の差圧が所望の差圧以外であっても、圧力スイッチ１００のオン・オフが切り替わる虞がある。そのため、調整ネジをハウジングのネジ孔にねじ込む直前にネジロック等を塗布する余分な工程を必要とし、圧力スイッチの製造コスト高となる。
【００４７】
しかしながら、本実施形態に係る調整ネジ１を用いた圧力スイッチ１００の場合、樹脂でできたハウジング１１０のネジ孔にこの調整ネジ１をねじ込み、更には調整工程で何度もねじ込み量を微調整してもバックラッシにより弛みが生じることはない。これによって、図１０（ａ）における第１の可動部１６０の弾性力の調整を一旦行えば、調整ネジ１の弛みによる第１の可動部１６０の弾性力にずれが生じることがなく、圧力スイッチ１００のオン・オフの動作点もずれることがない。なお、この場合、調整ネジ１を最適な位置までねじ込んだ後にこのねじ込み部に接着剤を兼ねたシール材を充填すればより好ましい。
【００４８】
以上説明した調整ネジ１は、本実施形態におけるＮＣ端子１９２の保持位置を調整する場合にも用いることができる。具体的には、図１０に示す右側の調整ネジ１のねじ込み量を変えることで、図１０（ｂ）における固定部材１９４の上下方向の位置を調整し、これによってＣバネ１８０と第２の可動部１７０との相対位置関係を変化させることができ、Ｃバネ１８０の弾性反発力と第２の可動部１７０の弾性力のバランス関係を変えることができる。その結果、図１０（ｂ）から図１０（ａ）に移行する際のプランジャ１４１の押圧力、即ち高圧側配管接続ポート１２５と低圧側配管接続ポート１１５の差圧を変えることができ、圧力スイッチオフの動作点を変更することが可能となる。
【００４９】
この場合においても、本実施形態に係る調整ネジ１が上述した場合と同等の作用を発揮する。即ち、従来の調整ネジでは、一旦締め込んでもこれが弛んでＮＣ端子１９２の保持位置が変化してしまい、その結果、圧力スイッチオフの動作点が調整時の最適な位置からずれてしまうことがあり、ネジロック等を予め調整ネジに塗布した状態で調整ネジのねじ込み量の調整を行うことが必要とされていた。しかしながら、本実施形態における調整ネジ１を用いることで、係る調整ネジ１の弛みが生じ難く、調整ネジ１で圧力スイッチオフの動作点を一旦調整すれば、その後にこの動作点がシフトするのを防止する。なお、調整ネジ１の材質とハウジング１１０の材質との組み合わせは、緩み止めの効果に大きな影響を与えることはない。すなわち、本発明を実施するために、ＰＣ、ＰＢＴ、ＰＰＳ等の一般的なエンジニアリング・プラスチックの中から任意の樹脂を選択して調整ネジ１を形成し、同様に任意の樹脂を選択してハウジング１１０を形成し、それぞれを組み合わせて使用することができる。
【００５０】
なお、本発明に係る調整ネジの構造は上述した実施形態に限定されないので、以下に上述の調整ネジの変形例について説明する。この変形例に係る調整ネジ２は、図１１に示すように、例えば調整ネジ２の挿入側の一部を通常の雄ネジ２１として形成し、この挿入側の端部から一定距離離間した位置から所定距離だけ上述したような突起部２６ａ，２６ｂ，２６ｃ…２６ｘ…２６ｎの直線的な連なりからなるネジ弛み止め部２６が谷部２５に連続して形成されている。このような調整ネジ２を形成することで、調整ネジ２の本体の挿入の際にスムーズな挿入が行われ、調整ネジ２を或る程度ねじ込むとネジ弛み止め部２６が雌ネジにくい込んだ状態になってしっかりとねじ込まれるようになっている。このようにして、調整ネジ２の挿入作業及び調整作業を容易に行うことができる。なお、調整ネジ２をハウジング１１０にねじ込むための雌ネジ孔は、予めハウジング１１０に形成しておく。あるいは、雌ネジの刻まれていない下孔に調整ネジ２をねじ込むことによって雌ネジを形成する、いわゆるセルフタッピング方式を採用してもよい。
【００５１】
なお、本実施形態及びその変形例に係る調整ネジ１，２は、周方向であって直径方向に対向する２箇所にネジ弛み止め部が設けられることに限定されていたが、必ずしもこれに限定されず周方向１箇所又は３箇所以上にこのようなネジ弛み止め部を形成しても良い。しかしながら、ネジ弛み止め部を調整ネジ形成用金型のパーティングラインに合わせて形成する方が金型の製造コスト低減を図ることができる。
【００５２】
また、上述の実施形態は調整ネジ全体が樹脂でできていたが、これとは異なり、本発明は少なくともネジ部が樹脂でできていれば良い。即ち、例えば中心部分が金属でネジ部が樹脂で一体成型されたような複合型の調整ネジにも本発明を適用可能である。
【００５３】
以上説明したように、本発明に係る調整ネジは、この調整ネジ周方向所定位置の谷部に連続して直線状のネジ弛み止め部を形成する突起部を設けることで、調整ネジのねじ込み時にその部分が本体側の雌ネジにねじ込まれてねじ込み時に調整ネジが弛むことなく、十分な締付力で調整ネジをねじ込んでいくことができる。
【００５４】
また、上述した構造を有する圧力スイッチに本発明に係る調整ネジを用いることで、調整ネジをねじ込む際やねじ込んだ後に調整ネジが弛んで圧力スイッチのオン・オフの動作点が変わるのを防止することができる。そのため、圧力スイッチの調整ネジをねじ込むときにロックナットを塗布するような余分な作業を必要としない。
【図面の簡単な説明】
【００５５】
【図１】本発明の一実施形態に係る調整ネジを示す斜視図である。
【図２】図１に示した調整ネジを軸線方向に若干回転させて示した斜視図である。
【図３】図１乃至図３に示した調整ネジの側面図である。
【図４】図１及び図２に示した調整ネジのネジ弛み止め部の形成部分において軸線方向と直交する方向に沿った断面図である。
【図５】図１に示した調整ネジを用いた圧力スイッチの内部構造を示す断面図である。
【図６】図５に示した圧力スイッチに用いられるベース板を分解して示した斜視図（図６（ａ））及び一体化して示した斜視図（図６（ｂ））である。
【図７】図６に示したベース板の平面図である。
【図８】図５に示した圧力スイッチに用いられるＣバネの平面図（図８（ａ））及びこのＣバネと図６に示した第１の可動部と第２の可動部が係合した状態を示す正面図（図８（ｂ））である。
【図９】調整ネジによる調整を行う前の圧力スイッチの動作前後の状態を概略的に示す側面図であり、図９（ａ）はプランジャが第１の可動部と押圧していない状態を示し、図９（ｂ）はプランジャが第１の可動部と押圧している状態を示している。
【図１０】調整ネジによる調整を行った後の圧力スイッチの動作前後の状態を概略的に示す側面図であり、図１０（ａ）はプランジャが第１の可動部と押圧していない状態を示し、図１０（ｂ）はプランジャが第１の可動部と押圧している状態を示している。
【図１１】図１の調整ネジの変形例を示す斜視図である。
【符号の説明】
【００５６】
１，２    調整ネジ
１１    雄ネジ
１２    突起部
１３    六角穴
１４    山部
１５    谷部
１６    ネジ弛み止め部
１６ａ，１６ｂ，１６ｃ…１６ｘ…１６ｎ    突起部
２１    雄ネジ
２５    谷部
２６    ネジ弛み止め部
２６ａ，２６ｂ，２６ｃ…２６ｘ…２６ｎ    突起部
１００    圧力スイッチ
１１０    ハウジング
１１１ａ，１１１ｂ，１１１ｃ    支柱
１１５    低圧側配管接続用ポート
１２０    カバー
１２５    高圧側配管接続用ポート
１３０    ダイアフラム
１４０    センタープレート
１４１    プランジャ
１５０    ベース板
１５１    フレーム部
１５２    一方の短辺
１５３    他方の短辺
１５３ｂ    一方の短辺の固定部
１５４    長辺
１５４ａ，１５４ｃ    固定部
１５４ｆ    縁部
１５５    荷重調整用当て板
１５６    荷重調整板
１５７    荷重調整板の突出部
１５８    調整ネジ当接部
１６０    第１の可動部
１６１    開口部
１６２    弾性変形部
１６３    Ｃバネ係止部
１６３ａ    折り曲げ部
１６３ｂ    Ｃバネ係止用切欠部
１６４    凹み部
１７０    第２の可動部
１７１    弾性調整用開口部
１７２    Ｃバネ係合用切欠き
１８０    Ｃバネ
１８１，１８２    開口部
１８３    一方の端部
１８４    他方の端部
１８３ａ，１８４ａ    切欠き
１９０    スイッチ部
１９１    ＮＯ（Normally Open）端子
１９２    ＮＣ（Normally Close）端子
１９３，１９４    固定部材
ＨＰ    高圧側空間
ＬＰ    低圧側空間
【図１】
2009140721.tif 000003
【図２】
2009140721.tif 000004
【図３】
2009140721.tif 000005
【図４】
2009140721.tif 000006
【図５】
2009140721.tif 000007
【図６】
2009140721.tif 000008
【図７】
2009140721.tif 000009
【図８】
2009140721.tif 000010
【図９】
2009140721.tif 000011
【図１０】
2009140721.tif 000012
【図１１】
2009140721.tif 000013